(57)【要約】      （修正有）【課題】送風羽根の後側を容易に清掃可能な照明機能付き送風装置を提供する。【解決手段】送風羽根２１が一体形成された送風器と、送風器の周囲に配置されるリング状の照明部と、送風器を照明部に支持するための軸受と、天井に取り付けられると共に、照明部に連結される取付部４と、取付部と照明部を連結する連結部１４と、送風器の前部をガードする前ガード及び後側をガードする後ガード３１と、を備え、後ガードの一部である扇形カバー３２が着脱自在に取り付けられている。【選択図】図８
0003231311.tif 000002
【実用新案登録請求の範囲】
【請求項１】
送風器と、
送風器の周囲に配置されるリング状の照明部と、
送風器を照明部に支持するための送風器支持部と、
被取り付け部に取り付けられると共に、照明部に連結される取付部と、
取付部と照明部を連結する連結部と、
送風器の前部をガードする前ガード及び後側をガードする後ガードと、を備え、
前記後ガードの一部が着脱自在に取り付けられていることを特徴とする照明機能付き送風装置。
【請求項２】
前記後ガードの一部は、平面視で扇形状に形成されていることを特徴とする請求項１に記載の照明機能付き送風装置。
【請求項３】
前記送風器は、前記送風器支持部により、前記照明部に対して水平方向の軸芯周りに回動可能に軸支されており、前記後ガードと前記水平方向の軸芯を有する軸部とが一体形成されていることを特徴とする請求項１又は２に記載の照明機能付き送風装置。
【請求項４】
前記連結部は、前記軸部と同じ水平方向に延びていることを特徴とする請求項３に記載の照明機能付き送風装置。
【請求項５】
前記後ガードの後面は、前記照明部の後面よりも前方に位置していることを特徴とする請求項１〜４のいずれか１項に記載の照明機能付き送風装置。
【考案の詳細な説明】
【技術分野】
【０００１】
本考案は、送風器と、送風器の周囲に配置されるリング状の照明部と、送風器を照明部に支持するための送風器支持部と、被取り付け部に取り付けられると共に、照明部に連結される取付部と、取付部と照明部を連結する連結部と、送風器の前部をガードする前ガード及び後側をガードする後ガードと、を有する照明機能付き送風装置に関する。
【背景技術】
【０００２】
かかる照明機能付き送風装置として、下記特許文献１に開示される照明装置がある。この照明装置は送風器を有しており、前方には羽根ガードが設けられる。送風器の送風羽根は定期的に清掃する必要があり、その場合は、羽根ガードを取り外して、さらに、送風羽根も取り外して清掃することができる。
【０００３】
また、特許文献１の照明装置は、天井面に取り付けて風が下方に向くように設定される。このような取り付け態様では、送風羽根の後側に埃がたまりやすくなり、後側を頻繁に清掃する必要性が高くなる。そのため、特許文献１では、後側には羽根ガードがなく、清掃しやすくなっている。
【先行技術文献】
【特許文献】
【０００４】
【特許文献１】実用新案登録３２２０４６５号
【考案の概要】
【考案が解決しようとする課題】
【０００５】
しかしながら、安全性等を考えると後側にも羽根ガードを設けることが好ましいが、羽根ガードを設けると、送風羽根の後側の清掃を簡易に行うことができなくなる。前ガードを外して送風羽根を取り外せば清掃は可能であるが、埃の付きやすい送風羽根の後側を簡単に清掃できることが好ましい。
【０００６】
本考案は上記実情に鑑みてなされたものであり、その課題は、送風羽根の後側を容易に清掃可能な照明機能付き送風装置を提供することである。
【課題を解決するための手段】
【０００７】
上記課題を解決するため本考案に係る照明機能付き送風装置は、
送風器と、
送風器の周囲に配置されるリング状の照明部と、
送風器を照明部に支持するための送風器支持部と、
被取り付け部に取り付けられると共に、照明部に連結される取付部と、
取付部と照明部を連結する連結部と、
送風器の前部をガードする前ガード及び後側をガードする後ガードと、を備え、
前記後ガードの一部が着脱自在に取り付けられていることを特徴とするものである。
【０００８】
かかる構成による照明機能付き送風装置の作用・効果を説明する。この装置は、送風器の前部をガードする前ガード及び後側をガードする後ガードを備えている。後ガードは全体が取り外せるのではなく後ガードの一部が着脱自在になっている。この一部を取り外すことで、送風羽根の後側の一部が露出するので、羽根を回転させつつ埃の除去作業等を行うことができる。送風羽根の全体を取り外す必要はない。その結果、送風羽根の後側を容易に清掃可能になる。
【０００９】
本考案に係る前記後ガードの一部は、平面視で扇形状に形成されていることが好ましい。これにより、後ガード全体のデザイン性を維持しながら、一部を着脱自在に構成することができる。
【００１０】
本考案に係る前記送風器は、前記送風器支持部により、前記照明部に対して水平方向の軸芯周りに回動可能に軸支されており、前記後ガードと前記水平方向の軸芯を有する軸部とが一体形成されていることが好ましい。
【００１１】
後ガードと軸部とを一体形成することで、部品点数の削減と組み立て容易性を実現することができる。
【００１２】
本考案に係る前記連結部は、前記軸部と同じ水平方向に延びていることが好ましい。これにより、後ガードの一部を着脱するときに連結部が邪魔にならず、着脱を容易にすることができる。
【００１３】
本考案において、前記後ガードの後面は、前記照明部の後面よりも前方に位置していることが好ましい。
【００１４】
かかる構成により、送風器が送風器支持部周りに回転するときに、他の部材と干渉しないように回転させることができる。
【図面の簡単な説明】
【００１５】
【図１】本実施形態に係る照明機能付き送風装置を下方から見た外観斜視図
【図２】送風装置の正面図
【図３】送風装置の側面図
【図４】送風装置を後方から見た外観斜視図
【図５】図２のＡ−Ａ断面図
【図６】図２のＢ−Ｂ断面図
【図７】送風器が回転した状態を示す後方から見た外観斜視図
【図８】送風装置を後方から見た一部分解斜視図
【考案を実施するための形態】
【００１６】
本考案に係る照明機能付き送風装置（以下、単に送風装置と略す。）の好適な実施形態を図面を用いて説明する。図１は、送風装置を下方から見た外観斜視図である。図２は、送風装置の正面図である。図３は、送風装置の側面図である。図４は、送風装置を後方から見た外観斜視図である。
【００１７】
送風装置は、照明部１と、送風器２を備えている。照明部１は、リング状に形成されており、支持本体１０と、リング状カバー１１を備えている。照明部１の内部には、ＬＥＤ基板１２と、このＬＥＤ基板１２の上に搭載される多数のＬＥＤ素子１３を備えている（図５、図６参照）。支持本体１０と、リング状カバー１１は、適宜の方法（ネジ、接着、圧入はめ込み等）により結合される。
【００１８】
ＬＥＤ基板１２の具体的な形状は不図示であるが、複数枚のＬＥＤ基板１２をリング状に並べて配置することができる。リング状カバー１１は、透光性を有する樹脂製であり、ＬＥＤ素子１３の発する照明光を下部に向けて照射する。送風装置は、天井（被取り付け部に相当）に取り付けられる。特に、浴室やトイレなど照明と換気が要求される場所に使用されるが、本考案としては、特定の使用場所に限定されるものではない。
【００１９】
図５、図６の断面図に示すように、送風器２は、円筒状の中央部２０と、送風羽根２１と、軸嵌合部２２が一体形成されている。７枚の送風羽根２１が中央部２０の周りに設けられている。送風羽根２１の枚数や形状は適宜決めることができる。また、送風羽根２１の前後には前ガード３０と後ガード３１が設けられており、送風羽根２１に直接触れることがないようにしている。前ガード３０と後ガード３１には多数の開口部が形成されている。前ガード３０に形成された溝３０ｃと、後ガード３１に形成されたボス３１ｃの組み合わせにより、両者は結合される（図５参照）。
【００２０】
図６に示すように、照明部１の最前面１１ａよりも送風器２の最前面３０ａの方が下方に位置している。送風器２には、モーター５が設けられており、モーター５に固定されたモーター軸５ａに送風羽根２１が周知の方法で固定される。前ガード３０を取り外せば、送風羽根２１の全体を取り外すことができる。
【００２１】
送風器２は、照明部１に対して軸受１５及びカラー１７（これらは、送風器支持部に相当）により支持されている（図５参照）。軸受１５及びカラー１７は、図５に示すように、左右に一対設けられている。軸受１５により水平方向の軸芯が設定され、この軸芯周りに送風器２の姿勢を傾斜させることができる。これにより、送風器２の送風方向を傾斜させることができる。図７は、送風器２を傾斜させた状態を示す斜視図である。
【００２２】
軸受１５は、貫通した穴１５ａが形成されており、ここに配線を通すことができる。これにより、送風羽根２１を駆動するモーター５に電源を供給することができる。カラー１７は、筒状に形成されており、軸受１５の外周にはめ込まれている。
【００２３】
取付部４は、垂直方向に延びており、支柱部４０と、口金４１と、連結軸４２を備えている。支柱部４０は円筒形状であり、内部空間に不図示の電源回路や制御回路等が搭載される。口金４１は、天井に設けられた不図示のソケット（被取り付け部）に取り付けられる。本実施形態では、ソケットと口金による連結方法を説明しているが、他の取り付け方法を採用してもよく、特定の連結方法に限定されるものではない。
【００２４】
取付部４は、連結部１４に対して連結されている。連結部１４は、支持本体１０と一体形成されるが、支持本体１０と別部材で構成してもよい。連結部１４は、送風器２の軸芯に沿った方向に配置されている。図７に示すように、送風器２を軸芯周りに回転させた場合に、連結部１４との干渉を避けて、可能な限りの回転角度を確保することができる。
【００２５】
連結部１４の中央には連結部材１６が設けられており、上部には球体部１６ａが設けられている。この球体部１６ａに連結軸４２の内面が嵌合することで、送風器２及び照明部１の全体を図６の矢印Ｃ方向に動かすことができる。これにより、送風器２及び照明部１の全体姿勢（傾斜角度）を調整することができる。角度については、例えば、±１５０゜の間の任意の角度を設定することができ、部屋にいる人の方向に向けて風を送るように調整することができる。
【００２６】
連結部材１６の内部は中空になっており、ここに配線を通すことができる。これにより、電源を照明部１や送風器２に供給することができる。
【００２７】
図８に示すように、後ガード３１の一部である扇形ガード３２を取り外すことができる。扇形ガード３２は、平面視で扇形状に形成されており、中心角は６０゜である。なお、中心角を何度にするかは清掃のしやすさなどを考慮して適宜決めることができる。扇形ガード３２は、ネジ３３により、後ガード３１に固定される。後ガード３１には、ネジ穴３４が形成される。扇形ガード３２を取り外すことで、送風羽根２１の後側が露出するので、後側に付着した埃等を除去する作業を行うことができる。露出する送風羽根２１は一部であるが、送風羽根２１を手で回しながら清掃することで、後側の全体を清掃することができる。なお、扇形ガード３２は、数学的な意味での扇形と全く同じ形状でなくてもよく、それに類似する形状であってもよい。特定の形状に限定されるものではない。
【００２８】
本考案に係る送風装置は、下方に向けて風を送るように取り付けられるので、特に送風羽根２１の前側よりも後側に埃が付着しやすくなる。そのため、後側の清掃の頻度も高くなる。そこで、上記のように後ガード３１の一部を取り外すことで、送風羽根２１の全体を取り外す作業を行うことなく、効率よく清掃を行うことができる。また、ネジ３３の位置は、平面視で連結部１４とは干渉しない位置にあるので、扇形ガード３２の取り付け及び取り外しを容易に行うことができる。
【００２９】
図５、図７に示すように後ガード３１には軸部３５が一体形成されている。軸部３５は、内部が中空の円筒状であり、両端に軸受１５が嵌合される。これにより、送風器２が軸芯周りに回転可能に軸支される。図８にも示すように、軸部３５は連結部１４の真下に位置しており、同じ方向に延びている。図６に示すように、後ガード３１の後面３１ａは、照明部１の支持本体１０の後面１０ａよりも低い位置にある。また、図５に示すように、後ガード３１の外周面３１ｂと照明部１のリング状カバー１１の内壁面１１ｂとの間には適切な間隔の隙間が形成されている。これにより、送風器２が軸芯周りに回転するときの支障にならないようにしている。
【００３０】
図５に示すように、連結部１４の下面にはカバー１８が設けられており、連結部１４の内部は中空になっている。取付部４に設けられた電源回路等からの配線は、連結部材１６を介して、連結部１４の内部を通り照明部１のＬＥＤ基板１２へと供給される。更に、配線は軸受１５の穴１５ａを経由して軸部３５の内部を通り、送風器２の方にもつながっている。
【００３１】
＜使用方法＞
本考案に係る送風装置の使用方法について簡単に説明する。送風装置自体は口金４１を天井に設定されたソケットに差し込むことで取り付けることができる。送風器２の傾斜方向の設定は、送風器２自体を手で動かして軸芯（軸受１５）周りに回転させることで行うことができる。また、照明部１及び送風器２を含めた傾斜方向の設定も図６に示すＣ方向に行うことができる。
【００３２】
送風装置に対する動作制御はリモコンを介して行うことができる。送風器２のオンオフ切替、送風羽根２１の回転速度の調整、送風羽根２１の正逆回転の設定、照明部１の調色切替等を行うことができる。送風羽根２１の清掃については前述の通りであり、扇形ガード３２を取り外すことで、送風羽根２１の後側の清掃を行うことができる。また、前ガード３０を取り外すことで、送風羽根２１の全体を清掃することができる。
【００３３】
本考案に係る照明機能付き送風装置は、送風器を使用しない場合は、純粋な照明装置として使用することができ、照明部を使用しない場合は、純粋な送風装置として使用することができる。
【符号の説明】
【００３４】
１        照明部
１０      支持本体
１１      リング状カバー
１２      ＬＥＤ基板
１３      ＬＥＤ素子
１４      連結部
１５      軸受（送風器支持部）
１６      連結部材
１７      カラー（送風器支持部）
２        送風器
２１      送風羽根
３０      前ガード
３１      後ガード
３２      扇形カバー
３３      ネジ
３４      ネジ穴
３５      軸部
４        取付部
４０      支柱部
４１      口金
【図１】
0003231311.tif 000003
【図２】
0003231311.tif 000004
【図３】
0003231311.tif 000005
【図４】
0003231311.tif 000006
【図５】
0003231311.tif 000007
【図６】
0003231311.tif 000008
【図７】
0003231311.tif 000009
【図８】
0003231311.tif 000010